(57)【要約】      （修正有）【課題】ティシュ取出口のフィルムをなくし、分別廃棄を不要にするとともに、ティシュを横方向に取出すことができるフィルムレスボックスを提供する。【解決手段】ボックスティシュのティシュ取出口を、長手方向縁寄りの切込１と、その両端の１／４円の切込３、その先の短手方向縁寄りの切込２、その先の１／２円の切込４で構成することで、取出口の短手方向の切込との摩擦でティシュペーパーが箱の中に落ち込むのを防ぐと同時に、先端の１／２円で、切込が必要以上に裂けるのを防ぎ、適度な弾力を維持させ、ボックス内に異物が入るのを防ぐ。中央の切込と、その両端の切込で構成するふたが大きいので、１枚目のティシュが取出し易く、長手方向と短手方向の固定部により、ティシュが折り曲げられ、次のティシュを箱の外に出すことができる。【選択図】図１
0003213058.tif 000002
【実用新案登録請求の範囲】
【請求項１】
取出口を切込の組合せで作ることで、フィルムを不要とし、ティシュペーパーが箱の中に落ち込むのを防ぐと同時に、ボックス内に異物が入るのを防ぎ、ティシュを横方向に取出し易い、ボックスティシュのティシュ取出口の形状。
【考案の詳細な説明】
【技術分野】
【０００１】
本考案は、ボックスティシュのティシュ取出口に関するものである。
【背景技術】
【０００２】
通常のボックスティシュの取出口は、次のティシュペーパーをスムーズに引き出すため、箱の中央に設けられており、真上に取出すことが一般的である。
【０００３】
しかしながら、寝たきりの病人や、力の弱った老人は、真上に取出すことは難しく、横方向に引っ張ると、ペーパーの畳み方向によってはティシュが引っ掛かり引き出すことが難しい。
【０００４】
また、フィルムレスの製品は、ティシュを横方向に引っ張ると、取出口のミシン目が、ティシュに引っ掛かり破れることがある。
【０００５】
この改善策として、ティシュを滑らかに横方向に取出すことができ、取出した後、次のティッシュが取出口から出る、取出し部の開口が小さく異物混入の少ない、フィルムレスボックスを考案した。異物混入を防止するため、割れ目を小さくした従来のフィルムレスボックスは、１枚目のティシュが極めて取出しにくく、ティシュを横方向に引き出すことはできなかったが、ボックスの切れ込みを長くし、形状を工夫することでこの問題を解決した。紙箱の一部を取り除く形で開口部を設ける従来のフィルムレスボックスは、紙箱の一部を取除くことによるゴミが発生するが、本考案は、切れ込みの長さと、形状を工夫することで、ゴミ発生の問題を解決した。
【先行技術文献】
【特許文献】
【０００６】
【特許文献１】特開２００７−２６７９８７号公報
【特許文献２】特開２００８−１３７６８６号公報
【特許文献３】特開２０１１−２４０９８１号公報
【考案の概要】
【考案が解決しようとする課題】
【０００７】
解決しようとする問題点は、ボックスティシュにおいて、ティシュを横方向に取出すことができない点である。
【課題を解決するための手段】
【０００８】
本考案は、紙箱の上面に中央から片寄った切込を入れることで、ティシュを横方向に取出すことができるようにし、適度な長さの切込とすることで、ティシュに適当な摩擦力を与えティシュが箱の中に落ち込むのを防ぎ、切込の両端に適度な曲線とすることで、次のティシュを箱の外に引き出すことができるようにした。
【考案の効果】
【０００９】
本考案の取出口形状は、ティシュを１枚目からスムーズに取出すことができ、次のティシュが箱の中に落ち込むのを防ぐと同時に箱の外に引き出すことができ、開口部がふたの役割をするため異物が入ることがなく、フィルムを分別廃棄する必要のないものである。
さらに、本取出口形状は、ティシュだけでなく、ペーパータオル等にも利用できる。
【図面の簡単な説明】
【００１０】
【図１】取出口の実施方法を示した斜視図である。
【図２】取出口の実施例である。
【図３】展開図の例である。
【考案を実施するための形態】
【００１１】
長手方向の縁から１５〜２５ｍｍ程度の位置に、箱の長手方向長さの４／５程度の切込を設ける。この縁からの位置は、箱に使われている紙の強さ・滑りやすさに依るが、縁から２０ｍｍ程度が望ましい。この長手方向の切込の両端は、半径２０ｍｍ〜４０ｍｍの１／４円とする。この半径は、箱に使われている紙の強さ・滑りやすさに依るが、３０ｍｍ程度が望ましい。短手方向の縁から１５〜２５ｍｍ程度の位置に、箱の短手方向長さの１／２程度の切込を設ける。この縁からの位置は、箱に使われている紙の強さ・滑りやすさに依るが、縁から２０ｍｍ程度が望ましい。この短手方向の片端は、長手方向の切込の両端の１／４円と接続し、その反対端は、半径２０ｍｍ〜４０ｍｍの１／２円とする。この半径は、箱に使われている紙の強さ・滑りやすさに依るが、３０ｍｍ程度が望ましい。短手方向の切込は、強度が確保できる程度のミシン目とし、半円部分はティシュが引っ掛からないようミシン目を最小とし、長手方向の切込も、ティシュが引っ掛からないようミシン目を少なくすることが望ましい。１／４円部分から押し切ることでティシュが取り出せるようになる。
【００１２】
中央の切込1と両端の切込２で形成される、大きなフラップを軽く持ち上げることで、ティシュの１枚目は、容易に取り出せる。この両端の固定部との摩擦で、次のティシュが箱の中に落ち込むのを防ぐ。
【００１３】
ティシュは、中央の切込１に沿って両端の切込２に押し縮められ出てくるため、ティシュの左右が折れ曲がり、次のティシュを引き出すことができる。ティシュは、上下に折りたたまれ交互に出てくるが、左右の固定部の下をティシュがくぐることで、折りたたまれ方向にかかわらず、ティシュを引き出すことができる。
【００１４】
ボックスティシュの箱は、通常、下部に長手方向の糊代があるが、本考案では、上面縁部長手方向に切込があるので、糊代部を上面長手方向切込部とし、長手方向切込中央部には糊代を設けず、付き合わせの切込とし、両端部のみを糊代とすることで接着剤と紙が削減できる。
【００１５】
両端木口部は、通常、上下重ね貼りとなっているが、上下の付き合わせとし、左右の耳部を糊代とすることで、隅部の強度を上げながら、重ね部の紙を削減し、使用後の空箱の折りたたみを容易にすることができる。
【符号の説明】
【００１６】
１    中央の切込
２    両端の切込
３    両端の１／４円
４    両端の１／２円
５    糊代を上面とした場合の重ね線
６    糊代を上面とした場合の隠れ線
【図１】
0003213058.tif 000003
【図２】
0003213058.tif 000004
【図３】
0003213058.tif 000005
【手続補正書】
【提出日】平成29年8月11日(2017.8.11)
【手続補正１】
【補正対象書類名】実用新案登録請求の範囲
【補正対象項目名】全文
【補正方法】変更
【補正の内容】
【実用新案登録請求の範囲】
【請求項１】
上面に、切込によって形成された取出口を備えたフィルムレスボックスであって、前記切込が、前記ボックスの長手方向に設けられた長手方向長さの４／５程度の長さの第１切込と、前記第１切込の両端にそれぞれ連続して設けられた１／４円の第２切込と、前記２つの第２切込にそれぞれ連続して前記ボックスの短手方向に設けられた短手方向長さの１／２程度の長さの第３切込と、前記２つの第３切込にそれぞれ連続して設けられた１／２円の第４切込の組合せであることを特徴とするフィルムレスボックス